(57)【要約】【課題】シャッフルするときに抵抗が小さくシャッフルしやすいカードスリーブの提供【解決手段】カードスリーブ１は、矩形状の第１のシートＳ１と、この第１のシートＳ１と同一の大きさに形成された矩形状の第２のシートＳ２とを備えている。第１のシートＳ１は、カードＣに当接する当接面Ｓ１１およびカードＣの周縁に位置する周縁面Ｓ１２を有している。第２のシートＳ２は、カードＣに当接する当接面Ｓ２１およびカードＣの周縁に位置する周縁面Ｓ２２を有し、第１のシートＳ１と重ね合せて配設されている。カードスリーブ１は、第１のシートＳ１の周縁面Ｓ１２および第２のシートＳ２の周縁面Ｓ２２を隙間なく接合して第１のシートＳ１および第２のシートＳ２の四辺のうち三辺を貼り合わせることによって、カードＣを内部に収納する袋状に形成されている。【選択図】図１
2015202635.tif 000002
【特許請求の範囲】
【請求項１】
カードを内部に収納するカードスリーブであって、
前記カードに当接する当接面および前記カードの周縁に位置する周縁面を有する矩形状の第１のシートと、
前記カードに当接する当接面および前記カードの周縁に位置する周縁面を有し、前記第１のシートと同一の大きさに形成されるとともに、前記第１のシートと重ね合せて配設される矩形状の第２のシートとを備え、
前記第１のシートの周縁面および前記第２のシートの周縁面を隙間なく接合して前記第１のシートおよび前記第２のシートの四辺のうち三辺を貼り合わせることによって、前記カードを内部に収納する袋状に形成されることを特徴とするカードスリーブ。
【請求項２】
カードを内部に収納するカードスリーブであって、
前記カードに当接する当接面および前記カードの周縁に位置する周縁面を有する矩形状の第１のシートと、
前記カードに当接する当接面および前記カードの周縁に位置する周縁面を有し、前記第１のシートと同一の大きさに形成されるとともに、前記第１のシートと重ね合せて配設される矩形状の第２のシートとを備え、
前記第１のシートの周縁面および前記第２のシートの周縁面を全周にわたって隙間なく接合するとともに、前記第１のシートの当接面または前記第２のシートの当接面にスリットを形成することによって、前記カードを内部に収納する袋状に形成されることを特徴とするカードスリーブ。
【請求項３】
請求項１または請求項２に記載されたカードスリーブにおいて、
前記カードスリーブの角は、丸められていることを特徴とするカードスリーブ。
【発明の詳細な説明】
【技術分野】
【０００１】
本発明は、カードスリーブに関し、特にシャッフルして用いるカードを内部に収納するカードスリーブに関する。
【背景技術】
【０００２】
従来、シャッフルして用いるカードを内部に収納するカードスリーブが知られている。例えば、特許文献１に記載されたカードスリーブは、２枚の矩形状のシートを重ね合せるとともに、各シートの四辺のうち三辺を貼り合わせることによって、カードを内部に収納する袋状に形成されている。
なお、特許文献１に記載されたカードスリーブは、カードプロテクターや、カードプロテクトなどとも称されるものであり、トレーディングカードゲームなどに用いられるトレーディングカードの状態を良好に保つためにカードを内部に収納して保護するための保護袋である。
【０００３】
ところで、このようなトレーディングカードゲームでは、プレイヤーは、カードスリーブの内部にカードを収納したままの状態で複数枚のカードを重ねてシャッフルすることによってゲームを進めている。
【０００４】
図４は、従来のカードスリーブを用いたシャッフルの状態を示す断面模式図である。
カードスリーブ１０は、図４に示すように、２枚の矩形状のシート１１Ａ，１１Ｂを重ね合せるとともに、各シート１１Ａ，１１Ｂの四辺のうち三辺を貼り合わせることによって、カードＣを内部に収納する袋状に形成されている。換言すれば、カードスリーブ１０は、特許文献１に記載されたカードスリーブと同様の形状に形成されている。
【０００５】
カードスリーブ１０をシャッフル（ファローシャッフル）する場合には、プレイヤーは、カードスリーブ１０の内部にカードＣを収納したままの状態で複数枚のカードＣを重ねてデックＤとした後、これを２つのバケットＤ１，Ｄ２に分ける。そして、プレイヤーは、それぞれのバケットＤ１，Ｄ２のカードスリーブ１０の下端を図中矢印方向に噛み合わせて１つに揃える。
なお、図４は、カードスリーブ１０の上端（開口端）から下端（開口端とは反対側の端）にかけて切断した断面の一部を示す図である。
【先行技術文献】
【特許文献】
【０００６】
【特許文献１】特開２０１３−０９１１６７号公報
【発明の概要】
【発明が解決しようとする課題】
【０００７】
ここで、カードスリーブ１０は、カードＣを内部に収納したときに嵩張りにくくするために、各シート１１Ａ，１１Ｂの三辺を直線状に貼り合わせることによって、カードＣの大きさと略同一の大きさになっている。
しかしながら、このように各シート１１Ａ，１１Ｂを貼り合わせると、カードスリーブ１０の下端は、厚くなってしまうので、カードスリーブ１０の下端を噛み合わせて１つに揃えるときに抵抗が大きくなる。したがって、プレイヤーは、カードスリーブ１０をシャッフルしにくいという問題がある。
【０００８】
本発明の目的は、シャッフルするときに抵抗が小さくシャッフルしやすいカードスリーブを提供することである。
【課題を解決するための手段】
【０００９】
本発明のカードスリーブは、カードを内部に収納するカードスリーブであって、カードに当接する当接面およびカードの周縁に位置する周縁面を有する矩形状の第１のシートと、カードに当接する当接面およびカードの周縁に位置する周縁面を有し、第１のシートと同一の大きさに形成されるとともに、第１のシートと重ね合せて配設される矩形状の第２のシートとを備え、第１のシートの周縁面および第２のシートの周縁面を隙間なく接合して第１のシートおよび第２のシートの四辺のうち三辺を貼り合わせることによって、カードを内部に収納する袋状に形成されることを特徴とする。
【００１０】
このような構成によれば、カードスリーブは、第１のシートの周縁面および第２のシートの周縁面を隙間なく接合して第１のシートおよび第２のシートの四辺のうち三辺を貼り合わせることによって、カードを内部に収納する袋状に形成されるので、カードスリーブの端を薄くすることができる。したがって、カードスリーブの端を噛み合わせて１つに揃えるときに抵抗が小さくなるので、プレイヤーは、カードスリーブをシャッフルしやすくなる。
【００１１】
本発明のカードスリーブは、カードを内部に収納するカードスリーブであって、カードに当接する当接面およびカードの周縁に位置する周縁面を有する矩形状の第１のシートと、カードに当接する当接面およびカードの周縁に位置する周縁面を有し、第１のシートと同一の大きさに形成されるとともに、第１のシートと重ね合せて配設される矩形状の第２のシートとを備え、第１のシートの周縁面および第２のシートの周縁面を全周にわたって隙間なく接合するとともに、第１のシートの当接面または第２のシートの当接面にスリットを形成することによって、カードを内部に収納する袋状に形成されることを特徴とする。
【００１２】
このような構成によれば、カードスリーブは、第１のシートの周縁面および第２のシートの周縁面を全周にわたって隙間なく接合するので、カードスリーブの端を薄くすることができる。したがって、カードスリーブの端を噛み合わせて１つに揃えるときに抵抗が小さくなるので、プレイヤーは、カードスリーブをシャッフルしやすくなる。
ここで、カードスリーブは、第１のシートの周縁面および第２のシートの周縁面を全周にわたって隙間なく接合しているので、カードスリーブの端の全周を薄くすることができる。したがって、プレイヤーは、カードスリーブの向きに関わらず、カードスリーブをシャッフルしやすくなるので、カードスリーブの利便性を向上させることができる。
【００１３】
また、カードスリーブは、第１のシートの周縁面および第２のシートの周縁面を全周にわたって隙間なく接合するので、第１のシートおよび第２のシートの四辺のうち三辺を貼り合わせる場合と比較して、カードを全周にわたって保護することができる。
なお、カードスリーブは、第１のシートの当接面または第２のシートの当接面にスリットを形成することによって、カードを内部に収納する袋状に形成されるので、このスリットを介してカードを内部に収納することができる。
【００１４】
本発明では、カードスリーブの角は、丸められていることが好ましい。
【００１５】
ここで、カードスリーブを矩形状に形成すると、カードスリーブの角は、鋭角に形成されることになるので、プレイヤーは、カードスリーブをシャッフルするときに手が痛くなってしまい、快適にゲームを進めることができないという問題がある。
本発明によれば、カードスリーブの角は、丸められているので、プレイヤーは、カードスリーブをシャッフルするときに手が痛くなってしまうことはなく、快適にゲームを進めることができる。
【図面の簡単な説明】
【００１６】
【図１】本発明の第１実施形態に係るカードスリーブを示す図
【図２】カードスリーブを用いたシャッフルの状態を示す断面模式図
【図３】本発明の第２実施形態に係るカードスリーブを示す図
【図４】従来のカードスリーブを用いたシャッフルの状態を示す断面模式図
【発明を実施するための形態】
【００１７】
〔第１実施形態〕
以下、本発明の第１実施形態を図面に基づいて説明する。
図１は、本発明の第１実施形態に係るカードスリーブを示す図である。具体的には、左図は、カードスリーブを正面から見た図であり、右図は、カードスリーブの内部にカードを収納している状態を正面から見た図である。
カードスリーブ１は、図１に示すように、矩形状の第１のシートＳ１と、この第１のシートＳ１と同一の大きさに形成された矩形状の第２のシートＳ２とを備え、シャッフルして用いるカードＣを内部に収納するものである。
なお、本実施形態では、第１のシートＳ１および第２のシートＳ２は、長辺および短辺を有する長方形状に形成されているが、正方形状に形成されていてもよい。要するに、第１のシートおよび第２のシートは、矩形状に形成されていればよい。
【００１８】
第１のシートＳ１は、カードＣに当接する当接面Ｓ１１およびカードＣの周縁に位置する周縁面Ｓ１２を有している。
第２のシートＳ２は、カードＣに当接する当接面Ｓ２１およびカードＣの周縁に位置する周縁面Ｓ２２を有し、第１のシートＳ１と重ね合せて配設されている。
なお、第１のシートＳ１は、図１の紙面手前側に位置する薄いフィルム状の透明のシートである。また、第２のシートＳ２は、図１の紙面奥側に位置する薄いフィルム状の不透明のシートである。図１では、ハッチングをかけることによって、第２のシートＳ２は不透明であることを示している。以下の図面においても同様である。
【００１９】
カードスリーブ１は、第１のシートＳ１の周縁面Ｓ１２および第２のシートＳ２の周縁面Ｓ２２を隙間なく接合して第１のシートＳ１および第２のシートＳ２の四辺のうち三辺を貼り合わせることによって、カードＣを内部に収納する袋状に形成されている。また、カードスリーブ１の４つの角は、第１のシートＳ１の周縁面Ｓ１２および第２のシートＳ２の周縁面Ｓ２２を貼り合わせた部位に位置し、これらは全て丸められている。
【００２０】
具体的には、カードスリーブ１は、第１のシートＳ１の周縁面Ｓ１２および第２のシートＳ２の周縁面Ｓ２２のうち、図１の紙面左右側の両辺および図１の紙面下側の一辺の合計三辺を貼り合わせることによって、カードＣを内部に収納する袋状に形成されている。したがって、カードスリーブ１は、図１の右図に示すように、紙面上側の一辺に形成された開口を介してカードＣを収納することができる（図中矢印参照）。
また、カードスリーブ１は、第１のシートＳ１の周縁面Ｓ１２および第２のシートＳ２の周縁面Ｓ２２を熱溶着することによって隙間なく接合している。
【００２１】
なお、本実施形態では、カードスリーブ１は、第１のシートＳ１の周縁面Ｓ１２および第２のシートＳ２の周縁面Ｓ２２を熱溶着することによって隙間なく接合しているが、接着剤などを介して隙間なく接合してもよく、その他の方法によって隙間なく接合してもよい。
また、本実施形態では、カードスリーブ１は、短辺側を開口させているが、長辺側を開口させてもよい。
【００２２】
図２は、カードスリーブを用いたシャッフルの状態を示す断面模式図である。
カードスリーブ１をシャッフル（ファローシャッフル）する場合には、プレイヤーは、図２に示すように、カードスリーブ１の内部にカードＣを収納したままの状態で複数枚のカードＣを重ねてデックＤとした後、これを２つのバケットＤ１，Ｄ２に分ける。そして、プレイヤーは、それぞれのバケットＤ１，Ｄ２のカードスリーブ１の下端を図中矢印方向に噛み合わせて１つに揃える。
【００２３】
このような本実施形態によれば、以下の作用・効果を奏することができる。
（１）カードスリーブ１は、第１のシートＳ１の周縁面Ｓ１２および第２のシートＳ２の周縁面Ｓ２２を隙間なく接合して第１のシートＳ１および第２のシートＳ２の四辺のうち三辺を貼り合わせることによって、カードＣを内部に収納する袋状に形成されるので、カードスリーブ１の端を薄くすることができる。したがって、カードスリーブ１の端を噛み合わせて１つに揃えるときに抵抗が小さくなるので、プレイヤーは、カードスリーブ１をシャッフルしやすくなる。
（２）カードスリーブ１の角は、丸められているので、プレイヤーは、カードスリーブ１をシャッフルするときに手が痛くなってしまうことはなく、快適にゲームを進めることができる。
【００２４】
〔第２実施形態〕
以下、本発明の第２実施形態を図面に基づいて説明する。
なお、以下の説明では、既に説明した部分については、同一符号を付してその説明を省略する。
【００２５】
図３は、本発明の第２実施形態に係るカードスリーブを示す図である。具体的には、左図は、カードスリーブを正面から見た図であり、右図は、カードスリーブの内部にカードを収納している状態を正面から見た図である。
前記第１実施形態では、カードスリーブ１は、第１のシートＳ１の周縁面Ｓ１２および第２のシートＳ２の周縁面Ｓ２２を隙間なく接合して第１のシートＳ１および第２のシートＳ２の四辺のうち三辺を貼り合わせることによって、カードＣを内部に収納する袋状に形成されていた。
【００２６】
これに対して、本実施形態では、カードスリーブ１Ａは、図３に示すように、第１のシートＳ１の周縁面Ｓ１２および第２のシートＳ２の周縁面Ｓ２２を全周にわたって隙間なく接合して第１のシートＳ１および第２のシートＳ２の四辺を貼り合わせている。また、カードスリーブ１Ａは、第２のシートＳ２の当接面にスリットＳＬを形成することによって、カードＣを内部に収納する袋状に形成されている。したがって、カードスリーブ１Ａは、このスリットＳＬを介してカードＣを内部に収納することができる。
なお、スリットＳＬは、第２のシートＳ２の当接面Ｓ２１と、第２のシートＳ２の周縁面Ｓ２２との境界に近い位置に形成するのが好ましい。
【００２７】
このような本実施形態においても、前記第１実施形態と同様の作用、効果を奏することができる他、以下の作用、効果を奏することができる。
（３）カードスリーブ１Ａは、第１のシートＳ１の周縁面Ｓ１２および第２のシートＳ２の周縁面Ｓ２２を全周にわたって隙間なく接合しているので、カードスリーブ１Ａの端の全周を薄くすることができる。したがって、プレイヤーは、カードスリーブ１Ａの向きに関わらず、カードスリーブ１Ａをシャッフルしやすくなるので、カードスリーブ１Ａの利便性を向上させることができる。
（４）カードスリーブ１Ａは、第１のシートＳ１の周縁面Ｓ１２および第２のシートＳ２の周縁面Ｓ２２を全周にわたって隙間なく接合するので、カードＣを全周にわたって保護することができる。
【００２８】
〔実施形態の変形例〕
なお、本発明は、前記各実施形態に限定されるものではなく、本発明の目的を達成できる範囲での変形、改良等は本発明に含まれるものである。
例えば、前記各実施形態では、カードスリーブ１，１Ａの４つの角は、第１のシートＳ１の周縁面Ｓ１２および第２のシートＳ２の周縁面Ｓ２２を貼り合わせた部位に位置し、これらは全て丸められていた。これに対して、カードスリーブの角は、丸められていなくてもよい。
【産業上の利用可能性】
【００２９】
以上のように、本発明は、カードスリーブに利用でき、特にシャッフルして用いるカードを内部に収納するカードスリーブに好適に利用できる。
【符号の説明】
【００３０】
１，１Ａ  カードスリーブ
Ｃ        カード
Ｓ１      第１のシート
Ｓ１１    当接面
Ｓ１２    周縁面
Ｓ２      第２のシート
Ｓ２１    当接面
Ｓ２２    周縁面
ＳＬ      スリット
【図１】
2015202635.tif 000003
【図２】
2015202635.tif 000004
【図３】
2015202635.tif 000005
【図４】
2015202635.tif 000006